(57)【特許請求の範囲】
【請求項１】
ごみの吸込口を備えたヘッド部と、上記吸込口を真空掃除機の吸引ホースに接続するための接続管部とからなり、
上記ヘッド部における吸込口内には、該吸込口を左右に横断するプレート状をしたホルダが、該吸込口内を前後方向に移動自在かつ該吸込口から取り出し自在なるように取り付けられ、該ホルダの下面に板状をした拭布取付用の弾性部材が取り付けられると共に、該弾性部材に拭布が着脱自在に取り付けられている、
ことを特徴とする払掃機能を備えた真空掃除機用吸込み具。
【請求項２】
ごみの吸込口を備えたヘッド部と、上記吸込口を真空掃除機の吸引ホースに接続するための接続管部とからなり、
上記ヘッド部における吸込口内には、該吸込口を左右に横断するプレート状をしたホルダが、該吸込口内を前後方向に移動自在なるように取り付けられ、該ホルダは、上記吸込口内を移動する第１部材と、該第１部材に取り付けられた第２部材とからなっていて、該第２部材に板状をした拭布取付用の弾性部材が取り付けられると共に、該弾性部材に拭布が着脱自在に取り付けられており、また、上記第２部材は、上記拭布の着脱を行うための位置に移動自在である、
ことを特徴とする払掃機能を備えた真空掃除機用吸込み具。
【請求項３】
上記弾性部材が、上面中央部周辺だけを部分的に上記ホルダの下面に接着されていて、前後端の非接着部とホルダとの間に拭布の端部を挟持するための止着部が形成されていることを特徴とする請求項１又は２に記載の吸込み具。
【請求項４】
上記吸込口がホルダ及び弾性部材によって前後２つの開口部分に区画され、清掃時に吸込み具を前後動させた際に、上記ホルダ及び弾性部材が移動することにより、吸込み具の移動方向前方側の開口部分が開放し、後方側の開口部分が閉塞されるように構成されていることを特徴とする請求項１から３の何れかに記載の吸込み具。
【発明の詳細な説明】
【０００１】
【発明の属する技術分野】
本発明は、真空掃除機用の吸込み具に関するものであり、さらに詳しくは、拭布による払掃機能を備えた真空掃除機用吸込み具に関するものである。
【０００２】
【従来の技術】
従来より公知の真空掃除機用吸込み具は、一般に、下面にごみの吸込口を有すると共に、この吸込口の周辺にブラシを有し、この吸込み具を前後あるいは左右に摺動させることにより、ブラシで掃き集めたごみを吸込口から吸込んで捕集するものである。
【０００３】
しかしながら、上記従来の吸込み具は、床面上のごみを吸込むのには適しているものの、床面に付着した汚れを落とすのは殆ど不可能に近く、このため、真空掃除機により床面上のごみを吸込んで除去した後に、雑巾やモップ等で床面に付着した汚れを拭き取らなければならなかった。
この結果、複数の異なる方法による清掃を行わなければならないため、手間がかかって清掃作業が非常に面倒であるばかりでなく、清掃用具も複数種類用意しなければならないために不経済であった。
【０００４】
【発明が解決しようとする課題】
本発明の主要な技術的課題は、床面上のごみを吸い取る機能と、床面に付着した汚れを拭き取る機能とを兼備した、構造が簡単で効率的な真空掃除機用吸込み具を提供することにある。
【０００５】
本発明の他の技術的課題は、大小のごみを吸込口から吸い込んだあとを拭布で払拭清掃することができる、清掃効率の良い真空掃除機用吸込み具を提供することにある。
【０００６】
本発明の他の技術的課題は、汚れを拭き取るための拭布の着脱が容易な、取扱い性に勝れた真空掃除機用吸込み具を提供することにある。
【０００７】
【課題を解決するための手段】
上記課題を解決するため、本発明の真空掃除機用吸込み具は、ごみの吸込口を備えたヘッド部と、上記吸込口を真空掃除機の吸引ホースに接続するための接続管部とからなり、上記ヘッド部における吸込口内には、該吸込口を左右に横断するプレート状をしたホルダが、該吸込口内を前後方向に移動自在かつ該吸込口から取り出し自在なるように取り付けられ、該ホルダの下面に板状をした拭布取付用の弾性部材が取り付けられると共に、該弾性部材に拭布が着脱自在に取り付けられていることを特徴とするものである。
【０００８】
また、本発明の他の真空掃除機用吸込み具は、ごみの吸込口を備えたヘッド部と、上記吸込口を真空掃除機の吸引ホースに接続するための接続管部とからなり、上記ヘッド部における吸込口内には、該吸込口を左右に横断するプレート状をしたホルダが、該吸込口内を前後方向に移動自在なるように取り付けられ、該ホルダは、上記吸込口内を移動する第１部材と、該第１部材に取り付けられた第２部材とからなっていて、該第２部材に板状をした拭布取付用の弾性部材が取り付けられると共に、該弾性部材に拭布が着脱自在に取り付けられており、また、上記第２部材は、上記拭布の着脱を行うための位置に移動自在であることを特徴としている。
【０００９】
上記構成の吸込み具は、接続管部を真空掃除機の吸引ホースに接続して、通常の吸込み具と同様に、床面上を往復動させることにより清掃を行う。このとき、床面上のごみは弾性部材の両側の開口部分から吸引され、床面上に付着した汚れは、上記弾性部材に取付けた拭布により拭き取られる。
【００１０】
この結果、真空掃除機による一回の清掃によってごみの吸引と拭布による払掃との両方を同時に行うことができ、清掃作業が簡単で効率的である。しかも、拭布の両側に吸込口の開口部分が形成されるため、吸込み具を往復何れの方向に動かす場合でも、開口部分でごみを吸い取ったあとの汚れを上記拭布で拭くことになり、非常に効率良く清掃を行うことができる。また、吸込口内に弾性部材を設けて拭布を取り付けるだけであるから、吸込み具としての構造も簡単である。
【００１１】
本発明において好ましくは、上記弾性部材が、上面中央部周辺だけを部分的に上記ホルダの下面に接着されていて、前後端の非接着部とホルダとの間に拭布の端部を挟持するための止着部が形成されていることである。
【００１２】
また、本発明においては、上記吸込口がホルダ及び弾性部材によって前後２つの開口部分に区画され、清掃時に吸込み具を前後動させた際に、上記ホルダ及び弾性部材が移動することにより、吸込み具の移動方向前方側の開口部分が開放し、後方側の開口部分が閉塞されるように構成されている。
【００１３】
【発明の実施の形態】
図１乃至図３は、本発明に係る真空掃除機用吸込み具の第１実施例を示すもので、この第１実施例の吸込み具１Ａは、ごみの吸込口４を下面に備えた横長のヘッド部２と、該ヘッド部２の上面中央部付近から斜め後方に向けて延びる、上記吸込口４を真空掃除機の吸引ホースに接続するための接続管部３とからなっている。
【００１４】
上記ヘッド部２における吸込口４の内部には、該吸込口４を左右に横断するようにプレート状をしたホルダ５が設けられ、該ホルダ５の下面に、板状をした拭布取付用の弾性部材６が、上記吸込口４を前後２つの開口部分４ａ，４ｂに区画するように平面を上下方向に向けて横向きに取り付けられ、この弾性部材６に、不織布等の繊維素材からなる払掃用の拭布７が着脱自在に装着されている。
【００１５】
上記ホルダ５は、金属や合成樹脂等の硬質素材からなるもので、吸込口４の前後幅より狭い板幅を持ち、その長手方向の両端が、ヘッド部２における左右の側壁１０，１０の内側面に前後方向に切設された支持溝１１ａ，１１ｂ内に摺動自在に嵌合することにより、吸込口４内を前後方向に移動自在となっている。そして、該ホルダ５が吸込口４の中間部に位置するときは、その両側に第１及び第２の開口部分４ａ，４ｂが開口し、上記ホルダ５が吸込口４の前後何れかの側に移動すると、その移動した側の開口部分が閉塞されるようになっている。
【００１６】
一方、上記弾性部材６は、合成樹脂発泡体やゴム等の柔軟性を有する弾性素材により、上記ホルダ５とほぼ同じ幅か又は大きい幅に形成されて、該ホルダ５の下面に接着テープ等の取付手段１２により取り付けられている。この場合、該弾性部材６の全面をホルダ５に接着することなく、図示したように中央部周辺だけを部分的に接着することにより、前後端の非接着部６ａとホルダ５とによって止着部を構成し、それらの間に拭布７の端部を挟持できるようにしておくことが望ましく、これにより、拭布７の装着を確実にして該拭布７が吸込口４から吸い込まれるのを防止することができる。
また、上記弾性部材６は、清掃していない状態で下端部が吸込み具１Ａの側壁下端の接地部１０ａよりも若干下方に突出するように配設されており、これにより、清掃時に拭布７を床面に適度の力で押し付けることができるようになっている。
【００１７】
上記弾性部材６に拭布７を着脱する作業は、該弾性部材６が吸込口４内に位置する状態のまま行うこともできるが、作業を容易にするため、該弾性部材６を吸込口４から全部又は一部が露出する着脱位置に移動させた状態で行うようにすることが望ましい。このため上記第１実施例においては、該弾性部材６をホルダ５と一緒に外部に取り出せるようにしている。
【００１８】
即ち、図１に示すように、上記ホルダ５の両端が嵌合する支持溝１１ａ，１１ｂのうちの少なくとも一方の支持溝１１ａの深さを深くし、側壁１０の内面で弾性部材６を圧縮しながらホルダ５を該支持溝１１ａ内に一旦押し込むことによって、該ホルダ５の他端を反対側の支持溝１１ｂから外して吸込口４の外に取り出し、そのあと該ホルダ５を反対方向へ移動させて反対側の端部を上記支持溝１１ａから抜き取ることにより、該ホルダ５及び弾性部材６を吸込口４から取り出すことができるようになっている。
上記ホルダ５を取り外す必要がないときは、上記弾性部材６が側壁１０の内面に当接してホルダ５の動きを規制するため、該ホルダ５が不時に外れることはない。
【００１９】
図４は上記ホルダ５の取り出しを可能にする機構の他の実施例を示すもので、この第２実施例のホルダ１Ｂにおいては、支持溝１１ａの溝底壁１１ｃを溝深が変化する方向（内外方向）に変移自在とし、ばね１４で外側に向けて付勢したもので、この溝底壁１１ｃをホルダ５で押圧することによって図１の場合と同様にして該ホルダ５を取り出すことができるものである。
【００２０】
上記構成を有する吸込み具１Ａ，１Ｂは、接続管部３を真空掃除機の吸引ホースに接続して、通常の吸込み具と同様に、床面上を前後方向に往復動させることにより清掃を行う。このとき、床面上のごみは、弾性部材６の前方又は後方に開口する開口部分４ａ，４ｂを通じて吸引され、床面上に付着した汚れは、上記弾性部材６に取付けた拭布７により拭き取られる。
【００２１】
この点について更に詳しく説明すると、図３に示すように吸込み具１Ａ，１Ｂが前進するときは、拭布７と床面との摩擦によってホルダ５が支持溝１１ａ，１１ｂ内を後方に向けて相対的に移動し、第２開口部分４ｂを閉塞するため、前方の第１開口部分４ａを通じてごみが吸込まれる。一方、上記吸込み具１Ａ，１Ｂが後退するときは、上記ホルダ５が支持溝１１ａ，１１ｂ内を吸込み具の前方に向けて相対的に移動し、第１開口部分４ａを閉塞するため、第２開口部分４ｂを通じてごみが吸込まれる。
【００２２】
このように、吸込み具が前後何れの方向に移動する際にも、その移動方向後方側の開口部分が閉塞して前方側の開口部分のみが開放するため、開放した開口部分の吸引力は増大し、大小のごみを確実に吸い込むことができる。しかも、開口部分でごみを吸い取ったあと拭布７で汚れを拭くことになるため、清掃効率が非常に良い。
【００２３】
かくして上記吸込み具１Ａ，１Ｂは、それ一つでごみの吸引と拭布７による払掃との両方を同時に行うことができ、清掃作業が簡単で効率的である。
清掃で汚れた拭布７の交換は、上記ホルダ５を吸込み具から取り外した状態で行い、交換後に該ホルダ５を吸込み具に再装着する。
【００２４】
なお、上記弾性部材６は、ホルダ５を一定の位置に係止又は固定することにより、吸込口４の中央部に固定的に配設しても良い。
【００２５】
図５及び図６は本発明の第３実施例を示すもので、この第３実施例の吸込み具１Ｃは、弾性部材６を完全に外部に取り出すことなく、拭布７の着脱を行い易い位置まで移動させるようにしたものである。
【００２６】
即ち、弾性部材６を保持するホルダ１５が、支持溝１１ａ，１１ｂに沿って移動自在のプレート状をした第１部材１５ａと、弾性部材６を取り付けるためのプレート状の第２部材１５ｂとからなっている。上記第１部材１５ａには、その長手方向（左右方向）の両端部近くに、下方に延出した一対のガイド部１６，１６が設けられ、これらのガイド部１６，１６の間に上記第２部材１５ｂが上下動自在に配設されており、該第２部材１５ｂを、図５に実線で示す清掃位置に上昇させた状態で清掃が行われ、鎖線で示す着脱位置に下降させた状態で拭布７の交換が行われるようになっている。
【００２７】
上記第２部材１５ｂを清掃位置又は着脱位置に係止させる手段は任意であり、例えば、ガイド部１６，１６の内面や縁枠１６ａ等の適所に突起を設けて、この突起に第２部材１５ｂを弾力的に係止させる方法や、磁石で両部材１５ａ，１５ｂを吸着させる方法等がある。
なお、その他の構成及び作用については、上記第１実施例と実質的に同じであるから、同一構成部分に同一符合を付してその説明は省略する。
【００２８】
【発明の効果】
以上に詳述したように、本発明によれば、一つの吸込み具でごみの吸い取りと汚れの拭き取りという２種類の清掃を同時に行うことができるため、短時間で効率良く清掃することができる。しかも、吸込口に弾性部材を取り付けて拭布を装着するだけで良いため、構造も簡単である。
また、吸込み具を往復何れの方向に動かす際にも、開口部分でごみを吸い取ったあと拭布で汚れを拭くことになるため、清掃し易く、且つ効率も良い。
【図面の簡単な説明】
【図１】本発明に係る吸込み具の第１実施例を示す部分破断正面図である。
【図２】図１のＡ−Ａ線での断面図である。
【図３】図１の吸込み具の使用状態での断面図である。
【図４】本発明に係る吸込み具の第２実施例を示す要部断面図である。
【図５】本発明に係る吸込み具の第３実施例を示す部分破断正面図である。
【図６】図５のＢ−Ｂ線での断面図である。
【符号の説明】
１Ａ，１Ｂ，１Ｃ      吸込み具
２      ヘッド部
３      接続管部
４      吸込口
４ａ，４ｂ      開口部分
６      弾性部材
７      拭布
【図１】
0003623632.tif 000002
【図２】
0003623632.tif 000003
【図３】
0003623632.tif 000004
【図４】
0003623632.tif 000005
【図５】
0003623632.tif 000006
【図６】
0003623632.tif 000007